(57)【特許請求の範囲】
【請求項１】
洗面化粧台等壁に接して設置される壁設置部材の該壁への固定構造であって、
横断面形状がＬ字形状をなして該壁側の後板部とそれより前側の、該後板部よりも左右の幅の小さい前板部とを有する複数本の縦フレームと、該縦フレームと別体を成し該縦フレームと縦フレームとにまたがって横向きに配置され、該縦フレームの該前板部に固定される横補強材とを有する取付装置を前記壁の内面に当てて該縦フレームの該後板部を該壁に固定し、該取付装置の該横補強材に対して前記壁設置部材の固定部を固定具にて固定することにより、該壁設置部材を該取付装置を介して該壁に固定するようになしたことを特徴とする壁設置部材の壁固定構造。
【請求項２】
請求項１に記載の壁設置部材の壁固定構造において、前記縦フレームの前記後板部には該縦フレームを前記壁に固定するためのフレーム固定孔が上下に所定間隔で複数設けてあるか又は長孔状に設けてあることを特徴とする壁設置部材の壁固定構造。
【請求項３】
請求項２に記載の壁設置部材の壁固定構造において、前記縦フレームの前記前板部には前記横補強材を該縦フレームに固定するための補強材固定孔が上下に所定間隔で複数設けてあるか又は長孔状に設けてあることを特徴とする壁設置部材の壁固定構造。
【請求項４】
請求項１〜３の何れかに記載の壁設置部材の壁固定構造において、前記縦フレームは縦の溝を有しており、該溝の内部に前記横補強材の左右の端部を上下に位置調節可能な状態で嵌入させていることを特徴とする壁設置部材の壁固定構造。
【発明の詳細な説明】
【０００１】
【発明の属する技術分野】
この発明は洗面化粧台など壁に接して設置される壁設置部材の壁への固定構造に関する。
【０００２】
【従来の技術及び発明が解決しようとする課題】
従来、洗面化粧台は壁に接して設置されるようになっており、そしてその設置状態で所定の固定部が壁に対してビス等の固定具により固定されるようになっている。
【０００３】
図１１は洗面化粧台の設置の一例を示している。
同図において２００は洗面化粧台で、ベースキャビネット２０２及び洗面器２０４を有する下部の洗面台と、上部のミラーキャビネット２０６から成っており、その背面が固定部２０８においてビス等の固定具２１０により壁Ｗに固定されている。
【０００４】
壁Ｗは表面材としての壁パネル２１２の裏側に補強材としての横胴縁２１４が横設されており、洗面化粧台２００は固定部２０８において固定具２１０によりその横胴縁２１４に対して固定されている。
【０００５】
一般に洗面化粧台２００を新しく設置するに際しては、その洗面化粧台２００の設置箇所において横胴縁２１４を予め洗面化粧台２００の固定部２０８の高さに合わせて壁パネル２１２の裏側に配置しておき、そして壁パネル２１２を施工した後に洗面化粧台２００を設置現場に搬入して所定位置にセットし、そして固定部２０８を固定具２１０にて横胴縁２１４に固定するようにしている。
【０００６】
ところでリフォームに際して既に設置してある洗面化粧台に代えて別の洗面化粧台を設置する際、洗面化粧台の固定部の位置（高さ位置）が各洗面化粧台毎にまちまちであることから、従来既設の洗面化粧台を別の洗面化粧台と取り替えるといったことが容易でないといった問題があった。
【０００７】
即ち、各洗面化粧台毎に固定部の位置が異なることから、既設の洗面化粧台を取り外しても、そのままでは新たな洗面化粧台を壁に固定することができず、そこで従来にあっては壁パネル２１２を剥がして新たに設置すべき洗面化粧台の固定部に合わせた高さ位置に補強材（横胴縁２１４）を横設した後、壁パネル２１２を取り付けるなどの補強のための再工事を行った上で、新たな洗面化粧台を設置せざるを得なかった。
或いは壁パネル２１２の内面に大きな１枚の補強板を張付固定し、そしてその補強板に対して洗面化粧台を固定するといったことを行わざるを得なかった。
【０００８】
しかしながら洗面化粧台を取り替えるに当たってこのように建築側の再工事を行うとなると、多くの手間と時間がかかり、このため洗面化粧台の取替えに際して施工コストが高くなるといった問題があった。
【０００９】
以上洗面化粧台を例として説明したが、カウンターその他のキャビネット等の壁設置部材を取り替えるに際しても同様の問題が生じていた。
【００１０】
【課題を解決するための手段】
本願の発明の壁設置部材の壁固定構造はこのような課題を解決するために案出されたものである。
而して請求項１の壁固定構造は、洗面化粧台等壁に接して設置される壁設置部材の該壁への固定構造であって、横断面形状がＬ字形状をなして該壁側の後板部とそれより前側の、該後板部よりも左右の幅の小さい前板部とを有する複数本の縦フレームと、該縦フレームと別体を成し該縦フレームと縦フレームとにまたがって横向きに配置され、該縦フレームの該前板部に固定される横補強材とを有する取付装置を前記壁の内面に当てて該縦フレームの該後板部を該壁に固定し、該取付装置の該横補強材に対して前記壁設置部材の固定部を固定具にて固定することにより、該壁設置部材を該取付装置を介して該壁に固定するようになしたことを特徴とする。
【００１１】
請求項２の壁固定構造は、請求項１に記載の壁設置部材の壁固定構造において、前記縦フレームの前記後板部には該縦フレームを前記壁に固定するためのフレーム固定孔が上下に所定間隔で複数設けてあるか又は長孔状に設けてあることを特徴とする。
【００１２】
請求項３の壁固定構造は、請求項２に記載の壁設置部材の壁固定構造において、前記縦フレームの前記前板部には前記横補強材を該縦フレームに固定するための補強材固定孔が上下に所定間隔で複数設けてあるか又は長孔状に設けてあることを特徴とする。
【００１３】
請求項４の壁固定構造は、請求項１〜３の何れかに記載の壁設置部材の壁固定構造において、前記縦フレームは縦の溝を有しており、該溝の内部に前記横補強材の左右の端部を上下に位置調節可能な状態で嵌入させていることを特徴とする。
【００１４】
【作用及び発明の効果】
上記のように請求項１の壁固定構造は、複数本の縦フレームと、それら縦フレーム間にまたがって横向きに配置された横補強材とを有する取付装置を壁の内面に当てて縦フレームを壁に固定し、そしてその横補強材に対して壁設置部材の固定部を固定具にて固定することで、壁設置部材を取付装置を介して壁に固定するようになしたもので、この壁固定構造の場合、洗面化粧台等の壁設置部材の固定部と建築側の横胴縁の位置が上下に異なっていた場合であっても、支障なく壁設置部材を壁に固定することができる。
【００１５】
即ちこの壁固定構造の場合、取付装置が縦フレームを有していることから、建築側の横胴縁の位置においてその縦フレームを横胴縁に固定することで取付装置を壁に固定状態とすることができる。
そして取付装置の横補強材を適宜の高さ位置に置いて、即ち新たに設置すべき洗面化粧台等壁設置部材の固定部に合わせた高さ位置に置いて縦フレームにより保持させておき、そしてその横補強材に対して壁設置部材の固定部をビス等の固定具にて固定することで、壁設置部材をかかる取付装置を介して壁に固定状態とすることができる。
【００１６】
この請求項１の壁固定構造によれば、既設の壁設置部材に代えて新たな壁設置部材を設置するに際し、建築側の再工事を行う必要がなく、簡便に且つ安価に壁設置部材を新しく設置施工することができる。
【００１７】
上記の横補強材を壁設置部材の設置に先立って予め縦フレームに固定しておかず、横補強材を新しく設置する壁設置部材の固定部に合わせた高さにセットしておいて、その固定部を横補強材に固定することにより、壁設置部材を取付装置を介して壁に固定状態とすることも可能である。
但し横補強材が縦フレームに対して固定されていないと、壁設置部材の固定部を横補強材に対して固定する際の作業が行い辛くなる。
【００１８】
そこで請求項１の壁固定構造では、その横補強材を縦フレームに固定するようになしており、この場合取付装置に対して、具体的には横補強材に対して壁設置部材の固定部を固定する際の作業を適正且つ簡単に行うことができる。
【００１９】
請求項２に記載のものは、縦フレームの後板部に対してこれを壁に固定するためのフレーム固定孔を上下に所定間隔で複数設けるか又は上下の長孔状に設けたもので、このようにしておけば建築側の横胴縁がどの高さ位置にあっても縦フレームを支障なくその横胴縁に対して、即ち壁に対して容易に固定することができる。
【００２０】
請求項３に記載のものは、横補強材を縦フレームに固定するための補強材固定孔を縦フレームの前板部に上下に所定間隔で複数設けるか又はこれを上下の長孔状に設けたもので、このようにしておけば横補強材を縦フレームに対してどの高さ位置にも容易に固定することができる。
【００２１】
請求項４に記載のものは、上記縦フレームに縦の溝を設けてその溝の内部に横補強材の左右の端部を上下に位置調節可能な状態で嵌入させたもので、この請求項４の壁固定構造の場合、その縦の溝に沿って横補強材を容易に上下に高さ調整することができ、且つ溝の作用で横補強材を前後方向に強固に保持することができる。
【００２２】
【実施例】
次に本発明の実施例を図面に基づいて詳しく説明する。
図１は、複数種類の壁設置部材を壁に接する状態で設置した状態を示している。
同図において１０は壁設置部材としての洗面化粧台で、ベースキャビネット１２と洗面器１４とを有する下部の洗面台、及びその上側のミラーキャビネット１６，最上部のアッパーキャビネット１８を有している。
【００２３】
洗面化粧台１０の隣には背の高いトールキャビネット（壁設置部材）２０，２２，２４及び２６が並べて設置されている。
これらトールキャビネット２０，２２，２４，２６は、それぞれ最上部にアッパーキャビネット２８，３０，３２及び３４を有している。
【００２４】
これら各壁設置部材は、後に詳述する取付装置３６を介して壁Ｗに固定されている。
ここで壁Ｗは、表面材としての壁パネル３８と、その裏側の柱等建築側の構造材４０と、その構造材４０に横設状態で固定された横胴縁４２とで構成されている。
【００２５】
各壁設置部材にはそれぞれ背板部分に固定孔４４が予め設けられており、それら固定孔４４において壁Ｗに、具体的には取付装置３６に固定されている。
【００２６】
図２及び図３は上記取付装置３６の具体的構成を示している。
同図に示しているように取付装置３６は、金属製の複数本の縦フレーム４６と、隣り合う縦フレーム４６間にまたがって横向きに且つ上下に複数本配置された補強材としての横桟木（横補強材）４８と、左右両端の縦フレーム４６の側端面を隠蔽して化粧する縦長の化粧材５０とを有している。
【００２７】
本例において、取付装置３６は全体で４本の縦フレーム４６を有しており、そのうち中間の２本の縦フレーム４６は互いに背中合せとされてその背中合せの部分で接合され、１本のジョイント５２を構成している。
【００２８】
各縦フレーム４６は横断面形状がＬ字形状を成す部材であって、下端から上端にかけて縦の溝５４を有しており、それら溝５４の内部に横桟木４８の左右方向の端部を嵌入させている。
【００２９】
各縦フレーム４６には、壁Ｗ側の後板部５６において縦フレーム４６を壁Ｗ側に固定するためのフレーム固定孔６０が所定ピッチで上下に多数設けられており、それらフレーム固定孔６０の何れかにおいて、固定具としてのビス６２により壁Ｗ側、具体的には壁パネル３８の裏側の横胴縁４２に固定されるようになっている。
【００３０】
また一方、前板部５８には横補強材としての横桟木４８を縦フレーム４６に固定するための桟木固定孔（補強材固定孔）６４が上下に所定ピッチで多数設けられており、それら桟木固定孔６４の何れかにおいて、ビス６２により横桟木４８が縦フレーム４６に固定できるようになっている。
【００３１】
この取付装置３６は次のようにして壁Ｗ側に固定することができる。
即ち図４に示しているように複数本の縦フレーム４６を左右に適宜の間隔で配置して、これを何れかのフレーム固定孔６０においてビス６２により壁Ｗ側、具体的には壁パネル３８の裏側の横胴縁４２に固定する。
より詳しくは、横胴縁４２が横設されている位置のフレーム固定孔６０を選択して、その選択したフレーム固定孔６０において各縦フレーム４６を横胴縁４２にビス６２にて固定する。
【００３２】
従って壁パネル３８の裏側の横胴縁４２がどの高さ位置にあっても、適宜のフレーム固定孔６０を用いることで各縦フレーム４６を支障なく壁Ｗ側に強固に固定することができる。
【００３３】
そしてこのように各縦フレーム４６を壁Ｗ側に固定したところで、図５及び図６に示しているように横桟木４８を縦フレーム４６の溝５４に沿って上下に位置調節し、詳しくは洗面化粧台１０その他の壁設置部材の背板６６の部分に設けた固定部６８の高さに合せてその位置を調節し、そしてその調節位置において各横桟木４８を桟木固定孔６４において縦フレーム４６にビス６２にて固定する。
図７及び図８は、このようにして各壁設置部材を壁Ｗに固定した状態を示している。
【００３４】
尚、上記では先ず縦フレーム４６を固定した後に横桟木４８の位置を定めてこれを縦フレーム４６に固定するということで説明したが、予め横桟木４８を縦フレーム４６に固定状態としておいて、その後に縦フレーム４６を壁Ｗ側に固定することも可能である。
【００３５】
以上のように本例の壁固定構造の場合、洗面化粧台１０等の壁設置部材の固定部６８と建築側の横胴縁４２の位置が上下に異なっていた場合であっても、支障なく壁設置部材を壁Ｗに固定することができる。
【００３６】
従って本例の壁固定構造によれば、既設の壁設置部材に代えて新たな壁設置部材を設置するに際し、建築側の再工事を行う必要がなく、簡便に且つ安価に壁設置部材を新しく設置施工することができる。
【００３７】
また本例によれば、予め横桟木４８を所定高さ位置で縦フレーム４６に固定できることから、取付装置３６に対して、具体的には横桟木４８に対して壁設置部材の固定部６８を固定する際の作業を適正且つ簡単に行うことができる。
【００３８】
また本例では縦フレーム４６に、これを壁Ｗに固定するためのフレーム固定孔６０を上下に所定間隔で複数設けていることから、建築側の横胴縁４２がどの高さ位置にあっても縦フレーム４６を支障なくその横胴縁４２に対して、即ち壁Ｗに対して固定することができる。
【００３９】
本例では、縦フレーム４６に縦の溝５４を設けてその溝５４の内部に横桟木４８の左右の端部を上下に位置調節可能な状態で嵌入させており、従ってその縦の溝５４に沿って横桟木４８を容易に上下に高さ調整することができるとともに溝５４の作用で横桟木４８を前後方向に強固に保持することができる。
【００４０】
以上の実施例ではフレーム固定孔６０及び桟木固定孔６４の何れをも縦フレーム４６に所定ピッチで多数設けているが、図９に示しているようにフレーム固定孔６０及び桟木固定孔６４の何れか一方又は両方とを上下の長孔状に形成しておくといったことも可能である。
この場合においても、所望の位置において縦フレーム４６を壁Ｗ側に固定することができ、或いはまた横桟木４８を所望の高さ位置において縦フレーム４６に固定することができる。
【００４１】
図１０は他の取付装置の例を参考例として示したもので、この取付装置７０は、上記実施例と同様に複数本の金属製の縦フレーム７２を有している。
各縦フレーム７２は、上下に貫通の縦のスライド溝７４を有しており、そのスライド溝７４にスライド片７６が上下にスライド可能に嵌合されている。
【００４２】
この例において、各縦フレーム７２には上下方向の長孔状のフレーム固定孔６０が設けられており、上記実施例と同様に上下の何れかの位置においてかかる縦フレーム７２が壁Ｗ側に固定できるようになっている。
【００４３】
スライド片７６は、スライド溝７４内部に摺動可能に嵌合して上下に移動案内されるとともに、前後方向に保持される金属製の嵌合部７８と、その嵌合部７８に固定された木製の被固定部８０とを有している。
ここで被固定部８０は、スライド溝７４の前面の開口８２から前方に突出させられている。
【００４４】
尚、この例ではフレーム固定孔６０を上下の長孔状に形成しているが、勿論上記図２ないし図８に示す実施例と同様にこれを小孔となして上下に所定ピッチで複数形成しておくことも可能である。
【００４５】
上記スライド片７６は、スライド溝７４に沿って抵抗なくスライドできるようにしておくことも可能であるが、適正な摺動抵抗を与えて、スライド片７６を上下の適正位置に持ち来して手を放すとその適正位置に保持されるようになしておくこともできる。
【００４６】
この例の取付装置７０の場合、縦フレーム７２を壁Ｗ側に固定し、そしてスライド片７６を上下の所定位置、具体的には壁設置部材における固定部６８の高さ位置に持ち来して、その壁設置部材の固定部６８をビス６２によりスライド片７６の被固定部８０に固定する。
このようにすることで各種壁設置部材を取付装置７０を介して壁Ｗ側に固定状態とすることができる。
【００４７】
本例においても、建築側の既設の横胴縁４２の位置に拘りなく壁設置部材を取付装置７０を介し支障なく壁Ｗに固定状態となすことができる。
【００４８】
また本例によれば、スライド片７６を縦フレーム７２に沿って適正な高さ位置に容易に位置調節することができ、そしてその調節位置において壁設置部材の固定部６８をスライド片７６に対し固定状態とすることができる。
【００４９】
以上本発明の実施例を参考例とともに詳述したがこれはあくまで一例示であり、本発明は例えばカウンターを壁に設置するに際して、そのカウンターを支持するためのブラケットを壁に固定するためのものとして適用することも可能であるし、或いはまたその他各種の壁設置部材を壁に固定するに際して適用可能であるなど、本発明はその主旨を逸脱しない範囲において種々変更を加えた形態で構成可能である。
【図面の簡単な説明】
【図１】本発明の適用対象である壁設置部材を壁に設置した状態で示す図である。
【図２】図１の壁設置部材の壁への固定構造を示す図である。
【図３】図２の取付装置の構成を示す図である。
【図４】図３の取付装置を壁に固定する際の工程の一部の説明図である。
【図５】図４に続く工程の説明図である。
【図６】図５に続く工程の説明図である。
【図７】図２ないし図６に示す取付装置を用いて壁設置部材を壁に固定した状態の側面断面図である。
【図８】図２ないし図６に示す取付装置を用いて壁設置部材を壁に固定した状態の平面断面図である。
【図９】本発明の他の実施例に用いる取付装置の構成を示す図である。
【図１０】参考例としての取付装置を示す図である。
【図１１】壁設置部材としての洗面化粧台の、従来の壁への固定構造を示す図である。
【符号の説明】
１０  洗面化粧台（壁設置部材）
２０，２２，２４，２６  トールキャビネット（壁設置部材）
３６，７０  取付装置
４６，７２  縦フレーム
４８  横桟木（横補強材）
５４  溝
６０  フレーム固定孔
６２  ビス（固定具）
６４  桟木固定孔（補強材固定孔）
６８  固定部
７４  スライド溝
７６  スライド片
７８  嵌合部
８０  被固定部
Ｗ   壁
【図１】
0003621838.tif 000002
【図２】
0003621838.tif 000003
【図３】
0003621838.tif 000004
【図４】
0003621838.tif 000005
【図５】
0003621838.tif 000006
【図６】
0003621838.tif 000007
【図７】
0003621838.tif 000008
【図８】
0003621838.tif 000009
【図９】
0003621838.tif 000010
【図１０】
0003621838.tif 000011
【図１１】
0003621838.tif 000012